(57)【要約】【課題】ポリエステル又はナイロンの製品価値を大幅に高め、廃棄物を再生利用し、製造コストが安い、発熱素材物の構造を提供する。【解決手段】発熱素材物の構造は、添加物１、第１の粒状物２及び第２の粒状物３を備える。添加物１は、放射性鉱物と、ケイ酸カルシウムと、海洋生物カルシウムとが混合されて微粒化される。第１の粒状物２には、添加物１が混合されて第２の粒状物３が形成される。第２の粒状物３は、曳糸装置４により発熱素材物５に成形される。第１の粒状物２は、ポリエステル又はナイロンである。放射性鉱物は、遠赤外線機能と、亜鉛、マグネシウム、ニッケル、アルミニウム、シリコンなどの微量金属元素とを有する。ケイ酸カルシウムは、熱安定性及び低熱伝導性を有する物質である。放射性鉱物及びケイ酸カルシウムは、添加物の１０〜１５％を占める。【選択図】図１
0003205389.tif 000002
【実用新案登録請求の範囲】
【請求項１】
添加物、第１の粒状物及び第２の粒状物を備えた発熱素材物の構造であって、
前記添加物は、放射性鉱物と、ケイ酸カルシウムと、海洋生物カルシウムとが混合されて微粒化され、前記第１の粒状物には、前記添加物が混合されて前記第２の粒状物が形成され、前記第２の粒状物は、曳糸装置により前記発熱素材物に成形されることを特徴とする発熱素材物の構造。
【請求項２】
前記第１の粒状物は、ポリエステル又はナイロンであることを特徴とする請求項１に記載の発熱素材物の構造。
【請求項３】
前記放射性鉱物は、遠赤外線機能と、亜鉛、マグネシウム、ニッケル、アルミニウム、シリコンなどの微量金属元素とを有することを特徴とする請求項１に記載の発熱素材物の構造。
【請求項４】
前記ケイ酸カルシウムは、熱安定性及び低熱伝導性を有する物質であることを特徴とする請求項１に記載の発熱素材物の構造。
【請求項５】
前記放射性鉱物及び前記ケイ酸カルシウムは、添加物の１０〜１５％を占めることを特徴とする請求項１に記載の発熱素材物の構造。
【請求項６】
前記海洋生物カルシウムは、貝類又は甲殻類の加工粉末であることを特徴とする請求項１に記載の発熱素材物の構造。
【請求項７】
前記海洋生物カルシウムは、添加物の８５〜９０％を占めることを特徴とする請求項１に記載の発熱素材物の構造。
【考案の詳細な説明】
【技術分野】
【０００１】
本考案は、発熱素材物の構造に関し、特に、ポリエステル又はナイロンの製品価値を大幅に高め、廃棄物を再生利用し、製造コストが安い発熱素材物の構造に関する。
【背景技術】
【０００２】
よく知られているように、ダウンフェザーを衣類又は寝具に使用し、高い保温効果を得ているが、ダウンフェザーの原料を得ることは容易でなく、道徳基準に違反し、環境を破壊してしまう問題点があった。非政府組織、小売り及び消費者は、ダウンフェザーの原料購入に関する問題が徐々に重視されるに伴い、国際的なブランドも使用するダウンフェザーの原料を確保するために努力すると共に、高い道徳基準を達成して環境を保護することに努力してきた。
【０００３】
上述したことから分かるように、ダウンフェザーの使用には、以下（１）〜（４）の欠点があった。
（１）ダウンフェザーの販売価格が高すぎる。
（２）家畜類に疫病が流行する場合、悪影響を受ける虞がある。
（３）ダウンフェザーが長期間使用されると臭気が生じ、長時間の保温効果を得ることができなくなる。
（４）ダウンフェザーの原料は入手が容易でなく、道徳基準に違反し易い上、環境を汚染する虞がある。
【考案の概要】
【考案が解決しようとする課題】
【０００４】
従って、本考案の主な課題は、添加物中の放射性鉱物により、発熱素材物は放射、刺激、血液循環の促進、熱エネルギーの保温効果を得ることができ、添加物のケイ酸カルシウムにより発熱素材物が低熱伝導性及び蓄熱の機能を得るとともに、添加物中の海洋生物カルシウムにより抗菌、防カビ、吸湿、消臭、抗静電気の効果を得る、発熱素材物の構造を提供することにある。
【課題を解決するための手段】
【０００５】
そこで、本考案者は、前記課題を解決するために鋭意検討を重ねた結果、後述も如く、特定の発熱素材に着目し、かかる知見に基いて本考案の想到するに至った。
【０００６】
すなわち、本考案の主な目的は、発熱素材物が編地又は物品の詰め物でもよく、織物は衣服、靴下、手袋、布団などの物品であり、詰め物はオーバーコート、寝具内に詰められる物でもよく、添加物中の放射性鉱物により、発熱素材物は放射、刺激、血液循環の促進、熱エネルギーの保温効果を得ることができ、添加物のケイ酸カルシウムにより発熱素材物が低熱伝導性及び蓄熱の機能を得るとともに、添加物中の海洋生物カルシウムにより抗菌、防カビ、吸湿、消臭、抗静電気の効果を得る、発熱素材物の構造を提供することにある。
【０００７】
かくして、本考案の要旨は、次の通りである。
（１）添加物、第１の粒状物及び第２の粒状物を備えた発熱素材物の構造であって、
前記添加物は、放射性鉱物と、ケイ酸カルシウムと、海洋生物カルシウムとが混合されて微粒化され、前記第１の粒状物には、前記添加物が混合されて前記第２の粒状物が形成され、前記第２の粒状物は、曳糸装置により前記発熱素材物に成形されることを特徴とする発熱素材物の構造。
（２）前記第１の粒状物は、ポリエステル又はナイロンであることを特徴とする前記（１）に記載の発熱素材物の構造。
（３）前記放射性鉱物は、遠赤外線機能と、亜鉛、マグネシウム、ニッケル、アルミニウム、シリコンなどの微量金属元素とを有することを特徴とする前記（１）に記載の発熱素材物の構造。
（４）前記ケイ酸カルシウムは、熱安定性及び低熱伝導性を有する物質であることを特徴とする前記（１）に記載の発熱素材物の構造。
（５）前記放射性鉱物及び前記ケイ酸カルシウムは、添加物の１０〜１５％を占めることを特徴とする前記（１）に記載の発熱素材物の構造。
（６）前記海洋生物カルシウムは、貝類又は甲殻類の加工粉末であることを特徴とする前記（１）に記載の発熱素材物の構造。
（７）前記海洋生物カルシウムは、添加物の８５〜９０％を占めることを特徴とする前記（１）に記載の発熱素材物の構造。
【図面の簡単な説明】
【０００８】
【図１】図１は、本考案の一実施形態に係る発熱素材物の構造の製造を示す流れ図である。
【図２】図２は、本考案の一実施形態に係る発熱素材物の構造の添加物の組成比率を示すグラフである。
【考案を実施するための形態】
【０００９】
図１及び図２を参照する。図１及び図２に示すように、本考案の一実施形態に係る発熱素材物の構造は、少なくとも添加物１、第１の粒状物２及び第２の粒状物３から構成されてなる。添加物１は、放射性鉱物１１と、ケイ酸カルシウム１２と、海洋生物カルシウム１３とが混合されて微粒化される。第１の粒状物２には、添加物１が混合されて第２の粒状物３が形成される。第２の粒状物３は、曳糸装置４により発熱素材物５に成形される。
【００１０】
第１の粒状物２は、ポリエステル又はナイロンである。放射性鉱物１１は、遠赤外線機能及び微量金属元素を有する。ケイ酸カルシウム１２は、熱安定性及び低熱伝導性を有する物質である。放射性鉱物１１及びケイ酸カルシウム１２は、添加物１の１０〜１５％を占める。海洋生物カルシウム１３は、貝類（牡蠣、蜆及び蛤）又は甲殻類（エビ、カニ）の加工粉末である。海洋生物カルシウム１３は、添加物１の８５〜９０％を占める。
【００１１】
本実施形態の糸状の発熱素材物５は、織物又は詰め物でもよい。織物は衣服、靴下、手袋、布団などであり、詰め物はオーバーコート、寝具内に詰められる物などでもよい。添加物１中の放射性鉱物１１により、発熱素材物５は放射、刺激、血液循環の促進、熱エネルギーの保温効果を得ることができる。添加物１のケイ酸カルシウム１２により、発熱素材物５は、低熱伝導性及び蓄熱の機能を有する。添加物１中の海洋生物カルシウム１３により、抗菌、防カビ、吸湿、消臭、抗静電気の効果を得る。
【００１２】
上述したことから分かるように、本考案の発熱素材物の構造は、以下（１）〜（８）の長所を有する。
（１）発熱素材物は、安価なポリエステル又はナイロンを、添加物中の放射性鉱物により発熱素材物の製品に放射、刺激、血液循環の促進、熱エネルギーの保温効果を得ることができ、ポリエステル又はナイロンの製品価値を大幅に高める。
（２）発熱素材物は、添加物中のケイ酸カルシウムにより、発熱素材物の製品に低熱伝導性及び蓄熱の機能を付与し、ポリエステル又はナイロンの製品価値を大幅に高める。
（３）発熱素材物は、添加物中の海洋生物カルシウムにより、発熱素材物の製品に抗菌、防カビ、吸湿、消臭、抗静電気の効果を得て、ポリエステル又はナイロンの製品価値を大幅に高める。
（４）発熱素材物の添加物中の海洋生物カルシウムは、貝類（牡蠣、蜆及び蛤）又は甲殻類（エビ、カニ）の外殻加工粉末であり、外殻が通常、廃棄物と見なされるが、廃棄物を再利用することにより無駄をなくし、環境汚染を防ぐ長所を有する。
（５）発熱素材物は、高価なダウンフェザーに代替し、その製造方式及び過程には道徳上の問題点が無く、環境保全の基準を満たす。
（６）発熱素材物の製造コストが少なく、その添加物は一般に廃棄物と見なされる放射性鉱物と、ケイ酸カルシウムと、海洋生物カルシウムとが混合されて微粒化され、廃棄物を再利用して産業上の利用性を満たす。
（７）長期間使用されると臭くなるダウンフェザーを発熱素材物により代替し、抗菌、防カビ、吸湿、消臭、抗静電気の効果を確実に得ることができる。
（８）発熱素材物は、従来のポリエステル又はナイロンの欠点であった保温効果を改善することができる。
【符号の説明】
【００１３】
１  添加物
２  第１の粒状物
３  第２の粒状物
４  曳糸装置
５  発熱素材物
１１  放射性鉱物  
１２  ケイ酸カルシウム
１３  海洋生物カルシウム
【図１】
0003205389.tif 000003
【図２】
0003205389.tif 000004